(57)【要約】【課題】  本発明は、撮影用照明装置に装着され、または付加される光学部材および撮影支援アダプタ、並びにこれらの光学部材もしくは撮影支援アダプタが備えられた照明装置に関し、撮影システムの構成が大幅に変更されることなく安価に、リモート閃光装置の位置および姿勢にかかわる制約の緩和や解消が図られることを目的とする。【解決手段】  第一の照明装置が発した光の照射域に位置し、この光の照射域と照射域外に位置する第二の照明装置との間に光路が形成される方向に、光の一部を屈折または全反射させることによって構成される。【選択図】      図１
2006317742.tif 000002
【特許請求の範囲】
【請求項１】
第一の照明装置が発した光の照射域に位置し、前記光の照射域と前記照射域外に位置する第二の照明装置との間に光路が形成される方向に、前記光の一部を屈折または全反射させる
ことを特徴とする光学部材。
【請求項２】
請求項１に記載の光学部材において、
前記光の一部は、
前記第二の照明装置が感応する波長または波長域の光である
ことを特徴とする光学部材。
【請求項３】
請求項１または請求項２に記載の光学部材において、
前記光が放射される前記第一の照明装置の開口部に装着可能に構成された
ことを特徴とする光学部材。
【請求項４】
請求項１ないし請求項３の何れか１項に記載の光学部材と、
前記光路の形成が可能な位置に前記光学部材を支持する支持部材と
を備えたことを特徴とする撮影支援アダプタ。
【請求項５】
請求項１ないし請求項３の何れか１項に記載の光学部材と、
カメラのシャッタに連動して撮影用の光を発する発光手段と
を備えたことを特徴とする照明装置。
【請求項６】
請求項４に記載の撮影支援アダプタと、
カメラのシャッタに連動して撮影用の光を発する発光手段と
を備えたことを特徴とする照明装置。
【発明の詳細な説明】
【技術分野】
【０００１】
本発明は、撮影用照明装置に装着され、または付加される光学部材および撮影支援アダプタ、並びにこれらの光学部材もしくは撮影支援アダプタが備えられた照明装置に関する。
【背景技術】
【０００２】
ワイヤレス閃光装置は、増灯撮影として行われる接写撮影にも用いられる。このような増灯撮影に用いられるリモート閃光装置（スレーブ閃光装置）は、何れも、マスター閃光装置がシャッターに連動して発した光信号に確実に感応するように、その光信号の受光が可能な位置に適切な姿勢で設置される。
【特許文献１】特開２００１−１１７１４４号公報
【発明の開示】
【発明が解決しようとする課題】
【０００３】
しかし、リモート閃光装置は、例えば、撮影レンズの先端部に取り付けられたアダプターリングに装着された場合であっても、マスター閃光装置から発せられた光信号が照射されない位置では、その光信号に感応して発光することができなかった。
本発明は、撮影システムの構成が大幅に変更されることなく安価に、リモート閃光装置の位置および姿勢にかかわる制約の緩和や解消が図られる光学部材、撮影支援アダプタおよび照明装置を提供することを目的とする。
【課題を解決するための手段】
【０００４】
本発明にかかわる光学部材は、第一の照明装置が発した光の照射域に位置する。さらに、この光学部材は、上記光の照射域とその照射域外に位置する第二の照明装置との間に光路が形成される方向に、既述の光の一部を屈折または全反射させる。
【発明の効果】
【０００５】
本発明によれば、カメラの構成や撮影条件による制約が大幅に緩和され、かつワイヤレス閃光装置が用いられた所望の増灯撮影や接写撮影が柔軟に実現される。
【発明を実施するための最良の形態】
【０００６】
以下、図面に基づいて本発明の実施形態について詳細に説明する。
［第一の実施形態］
図１は、本発明の第一の実施形態を示す図である。図において、カメラ１１の頂部には、マスター閃光装置１２が取り付けられる。マスター閃光装置１２によって発せられた閃光が放射されるそのマスター閃光装置１２の開口部には、プロテクタ１３が装着される。撮影レンズ１４の一端はカメラ１１に取り付けられ、その撮影レンズ１４の他端にはアダプターリング１５が取り付けられる。アダプターリング１５には、リモート閃光装置１６Ａ、１６Ｂが取り付けられる。リモート閃光装置１６Ａ、１６Ｂは、上述したマスター閃光装置１２の開口部に対して、例えば、「最も近い位置」と「最も遠い位置」とにそれぞれ配置される。リモート閃光装置１６Ａ、１６Ｂの開口部の方向は、被写体の方向に設定される。リモート閃光装置１６Ａ、１６Ｂに個別に備えられ、かつマスター閃光装置１２から発せられた光信号に感応するための受光に用いられる受光窓１７Ａ、１７Ｂは、そのマスター閃光装置１２の開口部の少なくとも一部から光学的に見通し可能な位置に配置される。
【０００７】
また、プロテクタ１３は、光学的な透過域が赤外線の波長域のみにある素材で構成され、かつ図１に拡大されて示されるように、一方の面に「ノコギリ波状の凹凸部」の列として形成されたプリズム部１３Ｐを有する板状の光学部材として構成される。
以下、図１を参照して本実施形態の動作を説明する。
プロテクタ１３は、カメラ１１のシャッターに連動してマスター閃光装置１２が発した閃光の成分の内、上述した赤外線の波長域以外の主要な成分の放射を阻止する。したがって、このような主要な成分は、被写体には照射されない。しかし、閃光に含まれる赤外線の成分の一部であって既述の光信号に相当する「赤外線信号」は、図１に示すように、リモート閃光装置１６Ａの受光窓１７Ａがマスター閃光装置１２の照射域に位置するために、その受光窓１７Ａに直接入射する。
【０００８】
一方、同様に閃光に含まれる赤外線の成分であって既述の光信号に相当する他の「赤外線信号」は、プリズム部１３Ｐにおいて屈折、あるいは全反射することによって、図１に一点鎖線で示すように、リモート閃光装置１６Ｂの受光窓１７Ｂの方向に放射される。すなわち、リモート閃光装置１６Ｂは、マスター閃光装置１２から放射された「赤外線信号」が照射されない位置に設置された状態であっても、その「赤外線信号」に確実に感応するので、リモート閃光装置１６Ａと共に被写体に対して閃光を発することができる。
【０００９】
したがって、本実施形態によれば、既述の屈折や全反射が生じるようにプロテクタ１３の形状および光学的な特性が予め設定されることによって、構成が大幅に変更されることなく安価に、増灯撮影や接写撮影にかかわる撮影条件の制約が緩和され、あるいは解消される。なお、本実施形態では、プロテクタ１３は、マスター閃光装置１２の開口部に対して着脱や交換が可能な光学部品として構成されてもよい。
［第二の実施形態］
図２は、本発明の第二の実施形態を示す図である。図において、図１に示すものと同じ要素については、同じ符号を付与し、ここでは、その説明を省略する。マスター閃光装置１２ｂｉは、カメラ１１に内蔵され、そのカメラ１１に対して行われる操作に応じて図２に示すようにこのカメラ１１の頂部から突出する機構を有する。また、本実施形態には、図１に示すプロテクタ１３に代えて、後述する光学部材２１と支持部材２２とから構成されるアダプタ２３が備えられる。このような光学部材２１は、図１に示すプロテクタ１３と同様に赤外線の波長領域に透過域を有し、かつマスター閃光装置１２ｂｉによって発せられた閃光の成分の内、その赤外線の波長領域以外の主要な成分が被写体に照射されることを阻止可能な寸法および形状を有する板状体として構成される。支持部材２２は、その一端がカメラ１１の筐体に装着され、かつ他端に上述した光学部材２１が支持され、あるいは固着される「Ｌ」字状のアームとして構成される。
【００１０】
以下、図２を参照して本実施形態の動作を説明する。
光学部材２１は、マスター閃光装置１２ｂｉの開口部に至近の位置に支持部材２２によって支持されることによって、そのマスター閃光装置１２ｂｉとの組み合わせにより図１に示すプロテクタ１３と同様に機能する。
すなわち、マスター閃光装置１２ｂｉがカメラ１１に内蔵された閃光装置であっても、リモート閃光装置１６Ｂは、安価な素材で構成可能なアダプタ２３（光学部材２１および支持部材２２）が付加されることによって、マスター閃光装置１２ｂｉから光学部材２１を介して放射された「赤外線信号」に確実に感応し、かつリモート閃光装置１６Ａと共に被写体に対して閃光を発することができる。したがって、増灯撮影や接写撮影に用いられるカメラの機種や構成にかかわる制約が緩和され、あるいは解消される。
【００１１】
なお、本実施形態では、光学部材２１は、支持部材２２と一体化成型されたりその支持部材２２に固着されなくてもよく、例えば、この支持部材２２に対する着脱や差し替えが可能な光学部品として構成されてもよい。さらに、本実施形態では、支持部材２２は、マスター閃光装置１２ｂｉ、リモート閃光装置１６Ａ、１６Ｂおよびこれらの閃光装置が取り付けられる部材の全てまたは一部に対して装着、あるいは取り付けが可能に構成されてもよい。
【００１２】
また、上述した各実施形態では、プロテクタ１３や光学部材２１は、特定のマスター閃光装置に限って適合する光学部品として構成されなくてもよく、例えば、マスター閃光装置となり得る多様な閃光装置の形状、寸法および構造に柔軟に適合するように、所望の形状や寸法への容易な成型を可能とする汎用の溝が予め成型された板状体として構成されてもよい。さらに、上述した各実施形態では、被写体の撮影に支障が生じず、もしくはこのような支障が許容される程度である場合には、可視光領域にもプロテクタ１３や光学部材２１の光学的な透過域があってもよい。また、プロテクタ１３や光学部材２１の光学的な透過域は、リモート閃光装置１６Ａ、１６Ｂが確実に感応する波長域であるならば、赤外線の波長領域以外の如何なる波長域にあってもよい。
【００１３】
さらに、上述した各実施形態では、リモート閃光装置１６Ａ、１６Ｂは、例えば、既述の増灯撮影や接写撮影を含む所望の撮影の条件としてカメラの真横に配置されなければならない場合には、アダプターリング１５が回転されることによって位置が定められ、あるいはそのアダプターリング１５以外の部材に取り付けられてもよい。また、上述した各実施形態では、マスター閃光装置１２、１２ｂｉおよびリモート閃光装置１６Ａ、１６Ｂには、図１および図２に示すように、光源として反射笠１８の内側に配置されたキセノンランプ１９が備えられている。しかし、このようなキセノンランプ１９は、例えば、発光ダイオードその他の発光素子で代替されてもよい。さらに、上述した各実施形態では、閃光を発するマスター閃光装置１２、１２ｂｉに本発明が適用されている。しかし、本発明は、このようなマスター閃光装置１２、１２ｂｉに限定されず、例えば、比較的長い時間に亘って、あるいは定常的に発光することによってリモート閃光装置１６Ａ、１６Ｂに発光のきっかけや期間を指示する照明装置にも適用可能である。
【００１４】
また、上述した各実施形態では、マスター閃光装置１２、１２ｂｉの開口部は、カメラ１１の頂部に限らず、そのカメラ１１の筐体の側部、底部および前面の何れに位置してもよい。さらに、上述した各実施形態では、リモート閃光装置１６Ｂの受光窓１７Ｂには、マスター閃光装置１２、１２ｂｉによって発せられた閃光の一部がプロテクタ１３や光学部材２１において屈折し、あるいは全反射することによって導かれた「赤外線信号」が入射している。しかし、本発明は、例えば、マスター閃光装置１２、１２ｂｉによって発せられた閃光に応じて二次的に同様の「赤外線信号」を出射する光源が備えられることによって実現されてもよい。また、本発明は、上述した実施形態に限定されるものではなく、本発明の範囲において多様な実施形態が可能であり、かつ構成要素の一部もしくは全てに如何なる改良が施されてもよい。
【００１５】
なお、既述の特許文献１は、広角レンズを用いた撮影においても良好な配光特性を得るために、被写体の範囲を周辺に広げるとの通常のレンズとして「発散作用部」が機能し、その「発光作用部」において屈折により光路が変更されても、「被写体が位置する領域や方向以外に、赤外線の波長領域等の特定の光を屈折させたり全反射させる」ことがない点で、本願発明に対して、起因ないし契機（動機付け）となる発明に該当しない。
【図面の簡単な説明】
【００１６】
【図１】本発明の第一の実施形態を示す図である。
【図２】本発明の第二の実施形態を示す図である。
【符号の説明】
【００１７】
１１…カメラ，  １２，１２ｂｉ…マスター閃光装置、  １３…プロテクタ，  １３Ｐ…プリズム部，  １６Ａ，１６Ｂ…リモート閃光装置，  １７Ａ，１７Ｂ…受光窓，  １８…反射笠，  １９…キセノンランプ，  ２１…光学部材，  ２２…支持部材，  ２３…アダプタ
【図１】
2006317742.tif 000003
【図２】
2006317742.tif 000004